(57)【要約】【課題】３Ｄ映像を記録する場合、Ｌ側もしくはＲ側のみ修正することが難しく、また、同時に記録した３Ｄ映像のペアの識別、および２Ｄ映像との識別が容易にできない。【解決手段】３Ｄ映像を構成する第１および第２の映像信号を記録する映像記録システムであって、映像記録装置１００は、機器ＩＤ取得部１０４、時間情報取得部１０５およびチャンネル情報入力部１０６で得られた情報から映像信号を一意に識別するＵＭＩＤを作成するＵＭＩＤ作成部１０７と、ＵＭＩＤ作成部１０７で得られたＵＭＩＤを映像記録装置２００に送信するＵＭＩＤ送信部１１０と、を備え、映像記録装置２００は、映像記録装置１００から送られるＵＭＩＤを受信するＵＭＩＤ受信部２０４と、ＵＭＩＤ受信部２０４で得られたＵＭＩＤをチャンネル情報入力部２０５で入力されたチャンネル情報を基に変更するＵＭＩＤ変更部２０６と、を備える。【選択図】図１
2012129969.tif 000002
【特許請求の範囲】
【請求項１】
３Ｄ映像を構成する第１および第２の映像信号を、それぞれ記録する第１および第２の映像記録装置からなる映像記録システムであって、
前記第１の映像記録装置は、
前記第１の映像記録装置を特定する機器ＩＤ取得部と、
時間情報を取得する時間情報取得部と、
前記映像信号が第１または第２のいずれであるかを識別するチャンネル情報を、入力する第１のチャンネル情報入力部と、
前記機器ＩＤ取得部、前記時間情報取得部、および前記第１のチャンネル情報入力部で得られた情報に基づいて、前記映像信号を一意に識別する識別情報を作成する識別情報作成部と、
前記第１の映像信号が入力される第１の映像入力部と、
前記第１の映像信号に対して、前記識別情報作成部で作成された識別情報を付与する第１の識別情報付与部と、
前記第１の識別情報付与部で識別情報が付与された前記第１の映像信号を、記録する第１の映像記録部と、
前記識別情報作成部で作成された識別情報を、前記第２の映像記録装置に送信する識別情報送信部と、
を備え、
前記第２の映像記録装置は、
前記第１の映像記録装置から送信される識別情報を、受信する識別情報受信部と、
前記映像信号が第１または第２のいずれであるかを識別するチャンネル情報を、入力する第２のチャンネル情報入力部と、
前記識別情報受信部で得られた識別情報を、前記第２のチャンネル情報入力部で入力されたチャンネル情報に基づいて、変更する識別情報変更部と、
前記第２の映像信号が入力される第２の映像入力部と、
前記第２の映像信号に対して、前記識別情報変更部で得られた識別情報を付与する第２の識別情報付与部と、
前記第２の識別情報付与部で識別情報が付与された前記第２の映像信号を、記録する第２の映像記録部と、
を備える映像記録システム。
【請求項２】
前記第１の映像記録装置は、
前記第１の映像入力部から入力された前記第１の映像信号の符号化を行う第１のエンコーダと、
前記第１のエンコーダによって符号化されたデータを含む第１のファイルを、作成する第１のファイル作成部と、
をさらに備え、
前記第２の映像記録装置は、
前記第２の映像入力部から入力された前記第２の映像信号の符号化を行う第２のエンコーダと、
前記第２のエンコーダによって符号化されたデータを含む第２のファイルを、作成する第２のファイル作成部と、
をさらに備え、
前記第１の識別情報付与部は、前記第１のファイルに対して、前記第１識別情報作成部で得られた識別情報を付与し、
前記第１の映像記録部は、前記第１の識別情報付与部で識別情報が付与された前記第１のファイルを、記録し、
前記第２の識別情報付与部は、前記第２のファイルに対して、前記第２識別情報作成部で得られた識別情報を付与し、
前記第２の映像記録部は、前記第２の識別情報付与部で識別情報が付与された前記第２のファイルを、記録する、
請求項１に記載の映像記録システム。
【請求項３】
前記識別情報作成部は、前記識別情報として、ＵＭＩＤ（Ｕｎｉｑｕｅ  Ｍａｔｅｒｉａｌ  Ｉｄｅｎｔｉｆｉｅｒ）を作成する、
請求項１又は２に記載の映像記録システム。
【請求項４】
３Ｄ映像を構成する第１および第２の映像信号を記録する映像記録装置であって、
前記映像記録装置を特定する機器ＩＤ取得部と、
時間情報を取得する時間情報取得部と、
前記映像信号が第１または第２のいずれであるかを識別するチャンネル情報を、入力するチャンネル情報入力部と、
前記機器ＩＤ取得部、前記時間情報取得部、および前記チャンネル情報入力部で得られた情報に基づいて、識別情報を作成する識別情報作成部と、
前記第１の映像信号が入力される第１の映像入力部と、
前記第２の映像信号が入力される第２の映像入力部と、
前記第１の映像信号に対して、前記識別情報作成部で得られた前記第１の映像信号を識別する第１の識別情報を、前記第２の映像信号に対して、前記識別情報作成部で得られた前記第２の映像信号を識別する第２の識別情報を、それぞれ付与する識別情報付与部と、
前記識別情報付与部で前記第１の識別情報が付与された前記第１の映像信号を、記録する第１の映像記録部と、
前記識別情報付与部で前記第２の識別情報が付与された前記第２の映像信号を、記録する第２の映像記録部と、
を備える映像記録装置。
【請求項５】
３Ｄ映像を構成する第１および第２の映像信号を、第１および第２の映像記録装置にそれぞれ記録する映像記録方法であって、
前記第１の映像記録装置において、前記第１の映像記録装置を特定する機器ＩＤ取得工程と、
前記第１の映像記録装置において、時間情報を取得する時間情報取得工程と、
前記第１の映像記録装置において、前記映像信号が第１または第２のいずれであるかを識別するチャンネル情報を入力する第１のチャンネル情報入力工程と、
前記第１の映像記録装置において、前記機器ＩＤ取得工程、前記時間情報取得工程、および前記第１のチャンネル情報入力工程で得られた情報に基づいて、前記映像信号を一意に識別する識別情報を作成する識別情報作成工程と、
前記第１の映像記録装置において、前記第１の映像信号が入力される第１の映像入力工程と、
前記第１の映像記録装置において、前記第１の映像信号に対して、前記識別情報作成工程で作成された識別情報を付与する第１の識別情報付与工程と、
前記第１の映像記録装置において、前記第１の識別情報付与工程で識別情報が付与された前記第１の映像信号を記録する第１の映像記録工程と、
前記第１の映像記録装置において、前記識別情報作成工程で作成された識別情報を、前記第２の映像記録装置に送信する識別情報送信工程と、
前記第２の映像記録装置において、前記第１の映像記録装置から送信される識別情報を、受信する識別情報受信工程と、
前記第２の映像記録装置において、前記映像信号が第１または第２のいずれであるかを識別するチャンネル情報を、入力する第２のチャンネル情報入力工程と、
前記第２の映像記録装置において、前記識別情報受信工程で得られた識別情報を、前記第２のチャンネル情報入力工程で入力されたチャンネル情報に基づいて、変更する識別情報変更工程と、
前記第２の映像記録装置において、前記第２の映像信号が入力される第２の映像入力工程と、
前記第２の映像記録装置において、前記第２の映像信号に対して、前記識別情報変更工程で得られた識別情報を付与する第２の識別情報付与工程と、
前記第２の映像記録装置において、前記第２の識別情報付与工程で識別情報が付与された前記第２の映像信号を記録する第２の映像記録工程と、
を含む映像記録方法。
【発明の詳細な説明】
【技術分野】
【０００１】
本発明は、３Ｄ映像を構成する２つのコンテンツを記録する映像記録装置、映像記録システムおよび映像記録方法に関するものである。
【背景技術】
【０００２】
従来は、複数の方向から撮影する場合、撮影方向の識別情報を付与する記録装置があった。例えば、特許文献１には、記録装置が開示されている。この記録装置は、入力手段と、符号化手段と、多重化手段と、識別符号生成手段と、符号付加手段とから構成されている。入力手段は、画像入力手段から構成されている。画像入力手段は、複数の方向から撮影することによって得られた各々の画像データを、入力する。符号化手段は、入力手段で得られた撮影方向毎の各画像データを符号化する。多重化手段は、マルチプレクサから構成されている。マルチプレクサは、符号化手段で得られた撮影方向毎の符号化データを多重化し、一連の圧縮符号化データとして出力する。識別符号生成手段は、画像データの撮影方向毎の識別符号を生成する。符号付加手段は、識別符号生成手段で得た識別符号を、符号化した撮影方向毎の各画像データに対応して付加する。
【先行技術文献】
【特許文献】
【０００３】
【特許文献１】特開平７−２５０３５０号公報
【発明の概要】
【発明が解決しようとする課題】
【０００４】
従来の記録装置では、複数の方向の映像データが、１つのファイルに混在した状態で、記録されていた。詳細には、従来の記録装置では、複数の方向の映像データが、１フレーム毎に連続的に記録されていたため、最終的なファイルは、各フレームの複数の方向の映像データが多重化されたものになっていた。
例えば、この最終的なファイルを用いて、複数の方向の映像データの中のいずれか１つの映像データのみを修正する場合、最終的なファイルから、修正対象の映像データのみを分離しなければならない。しかしながら、修正対象の映像データのみを分離する処理は、非常に困難であった。また、修正対象の映像データを分離できたとしても、修正後の映像データを、上記の形式のファイルに再構築する必要がある。この再構築の処理も、非常に困難であった。
【０００５】
一方で、記録装置では、２Ｄ用の映像データと、多重化した３Ｄ用の映像データとが、１つのファイルに混在した状態で、記録される場合もある。この場合、両者の映像データを、容易に区別することができないという問題もあった。
【課題を解決するための手段】
【０００６】
上記課題を解決するための本発明の映像記録システムは、第１および第２の映像記録装置から構成される映像記録システムである。第１の映像記録装置は、第１の映像信号を記録する。第２の映像記録装置は、第２の映像信号を記録する。第１の映像信号および第２の映像信号は、３Ｄ映像を構成する。
【０００７】
第１の映像記録装置は、機器ＩＤ取得部と、時間情報取得部と、第１のチャンネル情報入力部と、識別情報作成部と、第１の映像入力部と、第１の識別情報付与部と、第１の映像記録部と、識別情報送信部とを、備える。機器ＩＤ取得部は、第１の映像記録装置を特定する。時間情報取得部は、時間情報を取得する。第１のチャンネル情報入力部は、チャンネル情報を入力する。チャンネル情報は、映像信号が第１または第２のいずれであるかを識別するためのものである。
【０００８】
識別情報作成部は、識別情報を作成する。識別情報は、機器ＩＤ取得部、時間情報取得部、および第１のチャンネル情報入力部で得られた情報に基づいて、映像信号を一意に識別するためのものである。第１の映像入力部には、第１の映像信号が入力される。第１の識別情報付与部は、第１の映像信号に対して、識別情報作成部で得られた識別情報を付与する。第１の映像記録部は、第１の識別情報付与部で識別情報が付与された第１の映像信号を、記録する。識別情報送信部は、識別情報作成部で得られた識別情報を、第２の映像記録装置に送信する。
【０００９】
第２の映像記録装置は、識別情報受信部と、第２のチャンネル情報入力部と、識別情報変更部と、第２の映像入力部と、第２の識別情報付与部と、第２の映像記録部とを、備える。識別情報受信部は、第１の映像記録装置から送信される識別情報を、受信する。第２のチャンネル情報入力部は、チャンネル情報を入力する。チャンネル情報は、映像信号が第１または第２のいずれであるかを識別するためのものである。
識別情報変更部は、第２のチャンネル情報入力部で入力されたチャンネル情報に基づいて、識別情報受信部で得られた識別情報を、変更する。第２の映像入力部には、第２の映像信号が入力される。第２の識別情報付与部は、第２の映像信号に対して、識別情報変更部で得られた識別情報を、付与する。第２の映像記録部は、第２の識別情報付与部で識別情報が付与された第２の映像信号を、記録する。
【発明の効果】
【００１０】
本発明では、同時に記録した３Ｄ映像の２つの映像信号において、識別情報におけるチャンネル情報が異なっているため、各映像信号を容易に識別することができる。これにより、同時に記録した２つの映像信号の少なくともいずれか一方を、容易に修正することができる。また、同時に記録した３Ｄ映像の２つの映像信号において、識別情報におけるチャンネル情報以外の部分が一致しているため、ペアの判断を容易に行うことができる。これにより、映像信号が修正されたとしても、２つの映像信号をペアとして確実に認識することができる。さらに、３Ｄ映像と２Ｄ映像とは、識別情報におけるチャンネル情報が異なっているので、２Ｄ映像と３Ｄ映像の区別を容易に行うことができる。
【図面の簡単な説明】
【００１１】
【図１】実施の形態１に係る映像記録システムの全体構成を示す図
【図２】実施の形態１に係る映像記録システムを構成する映像記録装置の構成を示すブロック図
【図３】実施の形態２に係る映像記録装置の構成を示すブロック図
【図４】ＵＭＩＤのデータフォーマットを示す図
【図５】ＵＭＩＤのデータフォーマットを示す図
【発明を実施するための形態】
【００１２】
以下、実施の形態を、図面を参照しながら説明する。
【００１３】
（実施の形態１）
（１−１．映像記録システムの構成）
図１は、実施の形態１に係る映像記録システムの全体構成を示す図である。３Ｄ撮像装置１は、２眼式の撮像装置であり、３Ｄ映像を構成する左眼映像と右眼映像とを、それぞれ別の映像信号として出力する。映像記録システムは、３Ｄ撮像装置１が出力する左眼映像を記録する映像記録装置１００と、３Ｄ撮像装置１が出力する右眼映像を記録する映像記録装置２００とで構成される。映像記録装置１００と映像記録装置２００とは、ネットワークを介して接続されており、互いにデータの送受信を行うことができる。
【００１４】
図２は、映像記録システムを構成する映像記録装置の構成を示すブロック図である。映像記録装置１００は、映像入力部１０１と、エンコーダ１０２と、ファイル作成部１０３と、機器ＩＤ取得部１０４と、時間情報取得部１０５と、チャンネル情報入力部１０６と、ＵＭＩＤ作成部１０７と、ＵＭＩＤ付与部１０８と、映像ファイル記録部１０９と、ＵＭＩＤ送信部１１０とから構成される。
【００１５】
映像入力部１０１には、Ｌチャンネルの映像信号が入力される。Ｌチャンネルの映像信号は、３Ｄ撮像装置１が出力する左眼映像に対応する信号である。エンコーダ１０２は、映像入力部１０１から入力された映像信号の符号化を、行う。ファイル作成部１０３は、エンコーダ１０２で符号化されたデータを含むファイルを、作成する。ファイルは、例えば、ＭＸＦファイル（Ｍａｔｅｒｉａｌ  ｅＸｃｈａｎｇｅ  Ｆｏｒｍａｔ  Ｆｉｌｅ）を含んでいる。ＭＸＦは、コンテナフォーマットである。機器ＩＤ取得部１０４は、ファイルを作成する機器の情報を取得し、ファイルを作成する機器を特定する。時間情報取得部１０５は、時間情報を取得する。チャンネル情報入力部１０６は、チャンネル情報を入力する。
【００１６】
ＵＭＩＤ作成部１０７は、機器ＩＤ取得部１０４、時間情報取得部１０５およびチャンネル情報入力部１０６で得られた情報に基づいて、ＵＭＩＤ（Ｕｎｉｑｕｅ  Ｍａｔｅｒｉａｌ  Ｉｄｅｎｔｉｆｉｅｒ）を作成する。ＵＭＩＤ付与部１０８は、ファイル作成部１０３から出力された映像ファイルに対して、ＵＭＩＤ作成部１０７で得られたＵＭＩＤを、付与する。映像ファイル記録部１０９は、ＵＭＩＤ付与部１０８でＵＭＩＤが付与された映像ファイルを、記録する。ＵＭＩＤ送信部１１０は、ＵＭＩＤ作成部１０７で得られたＵＭＩＤを、Ｒ側の映像記録装置２００に送信する。
【００１７】
映像記録装置２００は、映像入力部２０１と、エンコーダ２０２と、ファイル作成部２０３と、ＵＭＩＤ受信部２０４と、チャンネル情報入力部２０５と、ＵＭＩＤ変更部２０６と、ＵＭＩＤ付与部２０７と、映像ファイル記録部２０８とから構成される。
【００１８】
映像入力部２０１には、Ｒチャンネルの映像信号が入力される。Ｒチャンネルの映像信号は、３Ｄ撮像装置１が出力する右眼映像に対応する信号である。エンコーダ２０２は、映像入力部２０１から入力された映像信号の符号化を、行う。ファイル作成部２０３は、エンコーダ２０２で符号化されたデータを含むファイルを、作成する。ＵＭＩＤ受信部２０４は、映像記録装置１００のＵＭＩＤ送信部１１０から送信されたＵＭＩＤを、受信する。チャンネル情報入力部２０５は、チャンネル情報を入力する。
【００１９】
ＵＭＩＤ変更部２０６は、ＵＭＩＤ受信部２０４で得られたＵＭＩＤを、チャンネル情報入力部２０５で入力されたチャンネル情報に基づいて、変更する。ＵＭＩＤ付与部２０７は、ファイル作成部２０３から出力された映像ファイルに対して、ＵＭＩＤ変更部２０６で得られたＵＭＩＤを、付与する。映像ファイル記録部２０８は、ＵＭＩＤ付与部２０７でＵＭＩＤが付与された映像ファイルを、記録する。
【００２０】
図４は、ＳＭＰＴＥ３３０Ｍで定義されているＵＭＩＤのデータフォーマットを示す図である。ＵＭＩＤは映像を一意に特定することができる識別子であり、ユニバーサルラベル４０１と長さ情報４０２とインスタンスナンバー４０３とマテリアルナンバー４０４とで構成される。
【００２１】
ユニバーサルラベル４０１は、マテリアルのタイプ例えばデータのタイプを定義するためのものである。例えば、ユニバーサルラベル４０１によって、データが動画データであるか音声データであるかを、区別することができる。ここでは、データが動画データである場合の例を示す。ユニバーサルラベル４０１は、ＳＭＰＴＥ３３０Ｍで決められている固定バイト列から構成されている。長さ情報４０２は、インスタンスナンバー４０３以降の長さを表す。インスタンスナンバー４０３は、データの起源を示す情報である。また、インスタンスナンバー４０３には、映像データがＬチャンネルまたはＲチャンネルであることを示すチャンネル情報が、格納される。マテリアルナンバー４０４は、機器のＩＤおよび時間情報を定義するためのものである。機器のＩＤは、例えば、機器のマックアドレスやIEEE 1394のnetwork node ID等を、含んでいる。マテリアルナンバー４０４は、機器のＩＤと時間情報から作成される機器固有のバイト列である。
【００２２】
（１−２．映像記録システムの動作）
３Ｄ映像は、Ｌチャンネルの映像信号とＲチャンネルの映像信号とによって、構成される。３Ｄ撮像装置１を用いて撮影が開始されると、Ｌチャンネルの映像信号とＲチャンネルの映像信号とが、３Ｄ撮像装置１より出力される。Ｌチャンネルの映像信号は、３Ｄ撮像装置１から映像記録装置１００の映像入力部１０１に入力され、Ｒチャンネルの映像信号は、３Ｄ撮像装置１から映像記録装置２００の映像入力部２０１に入力される。
【００２３】
映像記録装置１００内のＵＭＩＤ作成部１０７は、機器ＩＤ取得部１０４から取得した機器ＩＤ、および時間情報取得部１０５から取得した時間情報に基づいて、インスタンスナンバー４０３が未設定であるＵＭＩＤ５００を、作成する。このＵＭＩＤ５００のデータ構造が、図５（ａ）に示される。ここで、機器ＩＤ取得部１０４は、映像記録装置１００を一意に識別するための機器ＩＤを保持しており、この機器ＩＤの情報をＵＭＩＤ作成部１０７に出力する。時間情報取得部１０５は、例えば、映像信号の入力が開始された際の時間を、時間情報として出力する。
【００２４】
チャンネル情報入力部１０６により、Ｌチャンネルの映像信号であることを示すチャンネル情報が入力されると、ＵＭＩＤ作成部１０７は、このチャンネル情報がインスタンスナンバー４０３に設定されたＵＭＩＤ５０１を、作成する。なお、チャンネル情報入力部１０６では、撮影開始操作前に、Ｌチャンネルの映像信号であることを示す情報を、操作者が入力しても良いし、映像記録システム構成時に、映像記録装置１００に入力される映像信号がＬチャンネルであることを示す情報が、予め設定されていても良い。
【００２５】
図５（ｂ）はＵＭＩＤ５０１のデータ構造を示す。図５（ｂ）では、ＵＭＩＤ５０１のインスタンスナンバー４０３には、Ｌチャンネルの映像信号であることを示す所定のチャンネル情報、例えば「０００００１」が、格納される。
【００２６】
映像入力部１０１は、入力された映像信号を、エンコーダ１０２に出力する。エンコーダ１０２は、映像信号を、コーデック、例えばＤＶ方式のコーデックやＭＰＥＧ（Ｍｏｖｉｎｇ  Ｐｉｃｔｕｒｅ  Ｅｘｐｅｒｔｓ  Ｇｒｏｕｐ）方式のコーデックを用いて、圧縮する。なお、圧縮方式は、これらの方式に限定されず、どのような方式であっても良い。ファイル作成部１０３は、エンコーダ１０２から出力された圧縮後のデータを、ファイル化する。
【００２７】
ＵＭＩＤ付与部１０８は、ファイル作成部１０３で作成された映像ファイルにＵＭＩＤ５０１を付与し、映像ファイル記録部１０９に記録する。
【００２８】
映像ファイル記録部１０９が映像ファイルを記録する記録媒体は、半導体メモリカード、ハードディスク、磁気テープ、またはＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）等の光ディスクである。なお、記録媒体は、これらに限定されず、映像信号を記録できるものであればどのようなものであっても良い。また、記録媒体は、映像記録装置１００に内蔵されていても良いし、着脱可能であっても良い。
【００２９】
ＵＭＩＤ送信部１１０は、ＵＭＩＤ作成部１０７で作成されたＵＭＩＤ５０１を、映像記録装置２００に送信する。
【００３０】
映像記録装置２００は、ＵＭＩＤ送信部１１０から送信されたＵＭＩＤ５０１を、ＵＭＩＤ受信部２０４で受信する。その後、チャンネル情報入力部２０５により、Ｒチャンネルの映像信号であることを示すチャンネル情報が入力されると、ＵＭＩＤ変更部２０６は、ＵＭＩＤ受信部２０４で受信したＵＭＩＤ５０１に含まれるインスタンスナンバーを変更したＵＭＩＤ５０２を、作成する。図５（ｃ）は、ＵＭＩＤ５０２のデータ構造を示す。図５（ｃ）では、ＵＭＩＤ５０２のインスタンスナンバー例えばチャンネル情報が、「０００００１」から「０００００２」に変更されている。
【００３１】
映像入力部２０１は、エンコーダ２０２に映像データを出力する。エンコーダ２０２は、映像記録装置１００のエンコーダ１０２と同一の圧縮方式で、映像信号を圧縮する。なお、エンコーダ２０２の圧縮方式は、これに限定されず、エンコーダ１０２と異なる圧縮方式であっても良く、どのような方式であっても良い。ファイル作成部２０３は、エンコーダ２０２から出力された圧縮後のデータを、ファイル化する。
【００３２】
ＵＭＩＤ付与部２０７はファイル作成部２０３で作成された映像ファイルにＵＭＩＤ５０２を付与する。映像ファイル記録部２０８は、ＵＭＩＤ５０２が付与された映像ファイルを、記録する。映像ファイル記録部２０８が映像ファイルを記録する記録媒体は、映像記録装置１００の記録媒体と同一であっても良いし、異なっていても良い。また、この記録媒体は、どのような種類のものであっても良い。
【００３３】
（１−３．まとめ）
通常の映像記録システムでは、映像記録システムを構成する複数の映像記録装置それぞれにおいて、ＵＭＩＤが独立して生成されていた。このため、全ての映像記録装置において、ＵＭＩＤ内のマテリアルナンバー、例えば各映像記録装置の機器ＩＤおよび時間情報を一致させることが困難であった。具体的には、ＬチャンネルのＵＭＩＤとＲチャンネルのＵＭＩＤとを互いに関連付けることが、困難であった。
【００３４】
一方で、本実施の形態に係る映像記録システムにおいては、ＬチャンネルのＵＭＩＤにはＵＭＩＤ５０１（図５（ｂ）を参照）が付与され、ＲチャンネルのＵＭＩＤにはＵＭＩＤ５０２（図５（ｃ）を参照）が付与される。このため、複数の３Ｄのファイル例えば複数の３Ｄのコンテンツが存在していても、ＵＭＩＤのマテリアルナンバーが同じである３Ｄのコンテンツは、同時に記録されたペアのコンテンツであると、識別することができる。また、ペアの３Ｄのコンテンツにおいては、ＬチャンネルとＲチャンネルとは、インスタンスナンバーで容易に識別することができる。また、２Ｄのファイル例えば２Ｄのコンテンツでは、インスタンスナンバーにチャンネル識別子が設定されないため（図５（ａ）を参照）、２Ｄのコンテンツと３Ｄのコンテンツとを、容易に区別することができる。
【００３５】
さらに、複数の撮像装置で同時にコンテンツを記録する場合には、インスタンスナンバーの最初のバイトが撮像装置の台数に設定され、インスタンスナンバーの最後のバイトがチャンネル識別子に設定される。これによって、同時に記録されたコンテンツを、容易に識別することができる。
本実施の形態では、映像記録装置１００と映像記録装置２００とは、ネットワークを介した接続を例にしているが、別の接続方法、例えばＵＳＢ、ＲＳ４２２等のインターフェイスで接続しても、同様の効果が得られる。
【００３６】
（実施の形態２）
（２−１．映像記録装置の構成）
図３は、実施の形態２に係る映像記録装置の構成を示すブロック図である。映像記録装置３００は、映像入力部（Ｌ）３０１と、エンコーダ（Ｌ）３０２と、ファイル作成部（Ｌ）３０３と、映像入力部（Ｒ）３０４と、エンコーダ（Ｒ）３０５と、ファイル作成部（Ｒ）３０６と、機器ＩＤ取得部３０７と、時間情報取得部３０８と、チャンネル情報入力部３０９と、ＵＭＩＤ作成部３１０と、ＵＭＩＤ付与部３１１と、映像ファイル記録部（Ｌ）３１２と、映像ファイル記録部（Ｒ）３１３とから構成される。
【００３７】
映像入力部（Ｌ）３０１には、Ｌチャンネルの映像信号が入力される。エンコーダ（Ｌ）３０２は、映像入力部（Ｌ）３０１から入力された映像信号の符号化を、行う。ファイル作成部（Ｌ）３０３は、エンコーダ（Ｌ）３０２で符号化されたデータから、ファイル（例えばＭＸＦファイル）を作成する。
【００３８】
映像入力部（Ｒ）３０４には、Ｒチャンネルの映像信号が入力される。エンコーダ（Ｒ）３０５は、映像入力部（Ｒ）３０４から入力された映像信号の符号化を、行う。ファイル作成部（Ｒ）３０６は、エンコーダ（Ｒ）３０５で符号化されたデータから、ファイルを作成する。
【００３９】
機器ＩＤ取得部３０７は、ファイルを作成する機器の情報取得し、ファイルを作成する機器を特定する。時間情報取得部３０８は、時間情報を取得する。チャンネル情報入力部３０９は、ＬチャンネルおよびＲチャンネルのチャンネル情報を、入力する。ＵＭＩＤ作成部３１０は、機器ＩＤ取得部３０７、時間情報取得部３０８、およびチャンネル情報入力部３０９で得られた情報に基づいて、ＵＭＩＤを作成する。
【００４０】
ＵＭＩＤ付与部３１１は、ファイル作成部（Ｌ）３０３から出力された映像ファイルに対して、ＵＭＩＤ作成部３１０で得られたＬチャンネルの情報が入ったＬチャンネル用ＵＭＩＤを、付与する。また、ＵＭＩＤ付与部３１１は、ファイル作成部（Ｒ）３０６から出力された映像ファイルに対して、ＵＭＩＤ作成部３１０で得られたＲチャンネルの情報が入ったＲチャンネル用ＵＭＩＤを、付与する。
【００４１】
映像ファイル記録部（Ｌ）３１２は、ＵＭＩＤ付与部３１１でＵＭＩＤが付与された映像ファイルを、記録する。映像ファイル記録部（Ｒ）３１３は、ＵＭＩＤ付与部３１１でＵＭＩＤが付与された映像ファイルを記録する。
【００４２】
なお、エンコーダ（Ｌ）３０２およびエンコーダ（Ｒ）３０５の圧縮方式は、実施の形態１と同様に、どのような圧縮方式であっても良い。また、映像ファイル記録部（Ｌ）３１２および映像ファイル記録部（Ｒ）３１３が映像ファイルを記録する記録媒体は、実施の形態１と同様に、どのような記録媒体であっても良い。
【００４３】
（２−２．映像記録装置の動作）
３Ｄ映像は、Ｌチャンネルの映像信号とＲチャンネルの映像信号とによって、構成される。３Ｄ撮像装置１を用いて撮影が開始されると、Ｌチャンネルの映像信号とＲチャンネルの映像信号とが、３Ｄ撮像装置１より出力される。Ｌチャンネルの映像信号は、映像入力部（Ｌ）３０１に入力され、Ｒチャンネルの映像信号は、映像入力部（Ｒ）３０４に入力される。
【００４４】
映像記録装置３００内のＵＭＩＤ作成部３１０は、機器ＩＤ取得部３０７から取得した機器ＩＤ、時間情報取得部３０８から取得した時間情報、及びチャンネル情報入力部３０９から取得したチャンネル情報（Ｌ）に基づいて、Ｌチャンネル用のＵＭＩＤ５０１を作成する。また、ＵＭＩＤ作成部３１０は、機器ＩＤ取得部３０７から取得した機器ＩＤ、時間情報取得部３０８から取得した時間情報、及びチャンネル情報入力部３０９から取得したチャンネル情報（Ｒ）に基づいて、Ｒチャンネル用のＵＭＩＤ５０２を作成する。
【００４５】
映像入力部（Ｌ）３０１は、映像を圧縮するエンコーダ（Ｌ）３０２に、映像データを出力する。ファイル作成部（Ｌ）３０３は、エンコーダ（Ｌ）３０２から出力された圧縮後のデータを、ファイル化する。同様に、映像入力部（Ｒ）３０４は、映像を圧縮するエンコーダ（Ｒ）３０５に、映像データを出力する。ファイル作成部（Ｒ）３０６は、エンコーダ（Ｒ）３０５から出力された圧縮後のデータを、ファイル化する。
【００４６】
ＵＭＩＤ付与部３１１は、ファイル作成部（Ｌ）３０３で作成された映像ファイルに対して、Ｌチャンネル用のＵＭＩＤ５０１を付与する。映像ファイル記録部（Ｌ）３１２は、Ｌチャンネル用のＵＭＩＤ５０１が付与された映像ファイルを、記録する。また、ＵＭＩＤ付与部３１１は、ファイル作成部（Ｒ）３０６で作成された映像ファイルに対して、Ｒチャンネル用のＵＭＩＤ５０２を付与する。映像ファイル記録部（Ｒ）３１３は、Ｒチャンネル用のＵＭＩＤ５０２が付与された映像ファイルを、記録する。
【００４７】
（２−３．まとめ）
以上のように、本実施の形態に係る映像記録装置において、外部から入力されるＬチャンネルの映像信号およびＲチャンネルの映像信号に対して、ＬチャンネルのＵＭＩＤにはＵＭＩＤ５０１（図５（ｂ）を参照）が付与され、ＲチャンネルのＵＭＩＤにはＵＭＩＤ５０２（図５（ｃ）を参照）が付与される。このため、複数の３Ｄのファイルすなわち複数の３Ｄのコンテンツが存在していても、ＵＭＩＤのマテリアルナンバーが同じ３Ｄのコンテンツは、同時に記録されたペアのコンテンツであると、識別することができる。また、ペアの３Ｄのコンテンツにおいては、ＬチャンネルとＲチャンネルとは、インスタンスナンバーで容易に識別することができる。また、２Ｄのファイルすなわち２Ｄのコンテンツでは、インスタンスナンバーにチャンネル識別子が設定されないため（図５（ａ）を参照）、２Ｄのコンテンツと３Ｄのコンテンツとを、容易に区別することができる。
【００４８】
（他の実施の形態）
本実施の形態１および２において、識別情報としてＵＭＩＤを用いる形態について説明したが、本発明はこれに限定されず、識別情報として、映像信号を記録する映像記録装置固有の情報を用いる形態に対して、同様に適用することができる。
【００４９】
また、本実施の形態１において、左眼用の映像記録装置１００がマスターであり、右眼用の映像記録装置２００がスレーブである場合の例を説明したが、本発明はこれに限定されず、どのようにしても良い。例えば、右眼用の映像記録装置２００をマスターにし、左眼用の映像記録装置１００をスレーブにしても良い。
【００５０】
また、本実施の形態１および２において、ＵＭＩＤをファイル（コンテナ）に付与するタイミングは、どのようにしても良い。例えば、ファイルにランダムにアクセスが可能であれば、エンコーダによって符号化されたデータが、ファイルに格納される前であっても、ファイルに格納された後であっても、ＵＭＩＤをファイルに付与することができる。このように、ＵＭＩＤの付与と映像情報の書き込みとは、任意のタイミングで行うことができる。
【００５１】
さらに、本実施の形態１および２において、上記の形態のＵＭＩＤは、映像信号だけでなく音声信号に対しても、適用することができる。この場合は、ＵＭＩＤのユニバーサルラベル４０１を音声用の値に設定することによって、上記と同様に処理することができ、上記の効果と同様の効果も得ることができる。
【産業上の利用可能性】
【００５２】
本発明に係る映像記録システム、映像記録装置、及び映像記録方法は、３Ｄ映像の映像記録装置、および３Ｄ映像と２Ｄ映像を混在して記録する映像記録装置に適用できる。このような映像記録システム、映像記録装置、及び映像記録方法では、３Ｄ映像を２つのコンテンツとして記録する際、同時に記録したＬチャンネルとＲチャンネルのペアの識別と、３Ｄのコンテンツおよび２Ｄのコンテンツの識別とを、容易に行うことができる。
【符号の説明】
【００５３】
１  ３Ｄ撮像装置
１００、２００、３００  映像記録装置
１０１、２０１  映像入力部
１０２、２０２  エンコーダ
１０３、２０３  ファイル作成部
１０４、３０７  機器ＩＤ取得部
１０５、３０８  時間情報取得部
１０６、２０５、３０９  チャンネル情報入力部
１０７、３１０  ＵＭＩＤ作成部
１０８、２０７、３１１  ＵＭＩＤ付与部
１０９、２０８  映像ファイル記録部
１１０  ＵＭＩＤ送信部
２０４  ＵＭＩＤ受信部
２０６  ＵＭＩＤ変更部
３０１  映像入力部（Ｌ）
３０２  エンコーダ（Ｌ）
３０３  ファイル作成部（Ｌ）
３０４  映像入力部（Ｒ）
３０５  エンコーダ（Ｒ）
３０６  ファイル作成部（Ｒ）
３１２  映像ファイル記録部（Ｌ）
３１３  映像ファイル記録部（Ｒ）
【図１】
2012129969.tif 000003
【図２】
2012129969.tif 000004
【図３】
2012129969.tif 000005
【図４】
2012129969.tif 000006
【図５】
2012129969.tif 000007